(57)【要約】      （修正有）【課題】機種の異なる携帯端末装置の複数の機能設定に関し利便性の向上が可能な機能設定システム、携帯端末装置、情報端末機器、機能設定方法及びプログラムを提供する。【解決手段】情報端末機器１は、複数の機能設定を個別に定義したモード実行ファイルからなる設定用定義ファイルを前記携帯端末装置１の機種別に保存する保存手段１ｃと、近距離通信機能により前記携帯端末装置２の機種情報を受信する受信手段１ａと、前記機種情報を受信した場合に当該機種情報に応じたモード実行ファイルを読み出して携帯端末装置２に送信する送信手段１ｂと、を備え、前記携帯端末装置２は、前記近距離通信機能により自機種情報２ｃを前記情報端末機器１に送信する送信手段２ａと、前記情報端末機器１から前記モード実行ファイルを受信する受信手段２ｂと、受信したモード実行ファイルにより機能グループ２ｅの複数の機能設定を行う設定手段２ｄと、を備える。【選択図】図１
2011004347.tif 000002
【特許請求の範囲】
【請求項１】
携帯端末装置の機能設定を情報端末機器から近距離通信機能により設定可能な携帯端末装置の機能設定システムであって、
前記情報端末機器は、複数の機能設定を個別に定義した組み合わせ情報であるモード実行ファイルからなる設定用定義ファイルを携帯端末装置の機種別に保存する保存手段と、前記近距離通信機能による前記携帯端末装置との通信確立により前記携帯端末装置の機種情報を受信する受信手段と、前記機種情報を受信した場合に当該機種情報に応じた設定用定義ファイルのモード実行ファイルを読み出して携帯端末装置に送信する送信手段と、を備え、
前記携帯端末装置は、前記近距離通信機能による前記情報端末機器との通信確立により自機種情報を前記情報端末機器に送信する送信手段と、前記情報端末機器から当該機種情報に応じた前記モード実行ファイルを受信する受信手段と、受信したモード実行ファイルにより前記複数の機能設定を行う設定手段と、を備えることを特徴とする携帯端末装置の機能設定システム。
【請求項２】
前記情報端末機器は、前記モード実行ファイルの複数の機能設定を個別に変更可能とする変更手段を備えることを特徴とする請求項１記載の携帯端末装置の機能設定システム。
【請求項３】
前記情報端末機器における前記モード実行ファイルの複数の機能設定の個別の変更は、前記情報端末機器が携帯端末装置と近距離通信機能による通信確立前に行うことを特徴とする請求項２記載の携帯端末装置の機能設定システム。
【請求項４】
前記情報端末機器における前記モード実行ファイルの複数の機能設定の個別の変更は、前記情報端末機器の機種情報の受信後に行うことを特徴とする請求項２記載の携帯端末装置の機能設定システム。
【請求項５】
前記近距離通信機能は、ブルートゥースによる通信機能であることを特徴とする請求項１ないし４の何れかの請求項記載の携帯端末装置の機能設定システム。
【請求項６】
携帯端末装置の機種別に複数の機能設定を個別に定義した組み合わせ情報であるモード実行ファイルからなる設定用定義ファイルを備える情報端末機器から近距離通信機能によりモード実行ファイルを受信して機能設定を行う携帯端末装置であって、
前記近距離通信機能による前記情報端末機器との通信確立により自機種情報を前記情報端末機器に送信する送信手段と、前記情報端末機器から前記機種情報に応じた設定用定義ファイルの前記モード実行ファイルを受信する受信手段と、前記モード実行ファイルを受信した場合に、当該モード実行ファイルに基づき機能設定を行う設定手段と、を備えることを特徴とする携帯端末装置。
【請求項７】
前記近距離通信機能は、ブルートゥースによる通信機能であることを特徴とする請求項６記載の携帯端末装置。
【請求項８】
近距離通信機能により携帯端末装置の機能設定が可能な情報端末機器であって、
前記近距離通信機能による前記携帯端末装置との通信確立により前記携帯端末装置の機種情報を受信する受信手段と、受信した機種情報に基づいて、携帯端末装置の機種別に複数の機能設定を個別に定義した組み合わせ情報であるモード実行ファイルからなる設定用定義ファイルからモード実行ファイルを読み出して前記携帯端末装置に送信する送信手段と、を備えることを特徴とする情報端末機器。
【請求項９】
前記機種情報に応じて読み出さした前記モード実行ファイルの複数の機能設定を個別に変更する変更手段を備えることを特徴とする請求項８記載の情報端末機器。
【請求項１０】
前記近距離通信機能は、ブルートゥースによる通信機能であることを特徴とする請求項８又は９記載の情報端末機器。
【請求項１１】
携帯端末装置の機能設定を情報端末機器から近距離通信機能により設定可能な携帯端末装置の機能設定方法であって、
前記情報端末機器は、携帯端末装置の機種別に複数の機能設定を個別に定義した組み合わせ情報であるモード実行ファイルからなる設定用定義ファイルを備え、前記近距離通信機能による前記携帯端末装置との通信確立により前記携帯端末装置の機種情報を受信した場合に当該機種情報に応じた設定用定義ファイルのモード実行ファイルを読み出して携帯端末装置に送信し、
前記携帯端末装置は、前記近距離通信機能による前記情報端末機器との通信確立により自機種情報を前記情報端末機器に送信し、前記情報端末機器から当該機種情報に応じた前記モード実行ファイルを受信した場合に、当該モード実行ファイルによる機能設定を行うことを特徴とする携帯端末装置の機能設定方法。
【請求項１２】
前記情報端末機器は、前記モード実行ファイルの複数の機能設定を個別に変更可能であることを特徴とする請求項１１記載の携帯端末装置の機能設定方法。
【請求項１３】
前記情報端末機器における前記モード実行ファイルの複数の機能設定の個別の変更は、前記情報端末機器が携帯端末装置と前記近距離通信機能による通信確立前に行うことを特徴とする請求項１２記載の携帯端末装置の機能設定方法。
【請求項１４】
前記情報端末機器における前記モード実行ファイルの複数の機能設定の個別の変更は、前記情報端末機器の機種情報の受信後に行うことを特徴とする請求項１２記載の携帯端末装置の機能設定方法。
【請求項１５】
前記近距離通信機能は、ブルートゥースによる通信機能であることを特徴とする請求項１１ないし１４の何れかの請求項記載の携帯端末装置の機能設定方法。
【請求項１６】
携帯端末装置の機種別に複数の機能設定を個別に定義した組み合わせ情報であるモード実行ファイルからなる設定用定義ファイルを備える情報端末機器から近距離通信機能によりモード実行ファイルを受信して機能設定を行う携帯端末装置のプログラムであって、コンピュータに、
前記近距離通信機能による前記情報端末機器との通信確立により自機種情報を前記情報端末機器に送信する第１のステップと、前記情報端末機器から前記機種情報に応じた設定用定義ファイルの前記モード実行ファイルを受信した場合に、当該モード実行ファイルに基づく機能設定を行う第２のステップと、を実行させることを特徴とする携帯端末装置のプログラム。
【請求項１７】
前記近距離通信機能は、ブルートゥースによる通信機能であることを特徴とする請求項１６記載の携帯端末装置のプログラム。
【請求項１８】
近距離通信機能により携帯端末装置の機能設定が可能な情報端末機器のプログラムであって、コンピュータに、
前記近距離通信機能による前記携帯端末装置との通信確立により前記携帯端末装置の機種情報を受信する第１のステップと、受信した機種情報に基づいて、携帯端末装置の機種別に複数の機能設定を個別に定義した組み合わせ情報であるモード実行ファイルからなる設定用定義ファイルからモード実行ファイルを読み出して前記携帯端末装置に送信する第２のステップと、を実行させることを特徴とする情報端末機器のプログラム。
【請求項１９】
前記第２のステップは、読み出してモード実行ファイルの複数の機能設定を個別に変更するステップを含むことを特徴とする請求項１８記載の情報端末機器のプログラム。
【請求項２０】
前記近距離通信機能は、ブルートゥースによる通信機能であることを特徴とする請求項１８又は１９記載の情報端末機器のプログラム。
【発明の詳細な説明】
【技術分野】
【０００１】
本発明は、携帯端末装置の機能設定に関し、特に、携帯端末装置の機能設定システム、携帯端末装置、情報端末機器、機能設定方法及びプログラムに関する。
【背景技術】
【０００２】
携帯端末等、携帯端末装置の複数の機能設定（モード設定）においては、端末所持者（使用者）以外の管理側等から複数の携帯端末装置の機能設定の変更等が必要となる場合がある。例えば、特定の管理者がイベント会場等においてイベント参加者全員の携帯端末装置の必要な機能をオン（ｏｎ）、不必要な機能をオフ（ｏｆｆ）とするように、複数の機能の個々の設定変更を行いたい場合があり、また、会社内等の業務環境で複数社員等のメンバーの携帯端末装置に同様に設定変更を行いたい場合がある。ところが、そのような携帯端末装置の機能設定を個々の使用者の設定により行わせるとすると、端末操作が困難である等により管理側で期待する携帯端末装置の機能設定を徹底させることができないことがある。
【０００３】
また、携帯端末装置の複数の機能設定を使用者の好みに合った設定状態に変更する場合も端末操作に不慣れな使用者にとっては困難である場合が多い。例えば、ユーザが携帯端末装置を新規に購入した場合は、該携帯端末装置の操作に不慣れなため、その初期設定値等から使用者の好みに合わせた複数の機能設定状態に変更することは困難である。
【０００４】
ところで、携帯端末の機能設定に関して、指示装置５０からネットワーク４０を介して端末制御サーバー３０を制御し、該端末制御サーバー３０からネットワーク２０を介して、携帯端末１０の機能設定を行うことを可能とした端末制御システムが提案されている（特許文献１）。
【０００５】
図１０は特許文献１に記載の端末制御システムを示す図である。携帯端末１０及び端末制御サーバー３０が共に多種の機能のそれぞれの使用可否を個別に定義した情報の組み合わせであるモード特定情報が複数記録されてなるモード定義ファイルを共有し、端末制御サーバー３０から携帯端末１０の機能設定を変更する場合に、指示装置５０及び端末制御サーバー３０は電話番号によりネットワーク４０、３０を介して携帯端末１０を呼び出して前記携帯端末１０から現モード定義ファイルを取得し、未来モード定義ファイルを作成して前記携帯端末１０に送信してそのモード変更を実行させるものである。
【先行技術文献】
【特許文献】
【０００６】
【特許文献１】特開２００９−４９５６４号公報
【発明の概要】
【発明が解決しようとする課題】
【０００７】
操作の不慣れにより携帯端末装置の複数の機能設定を使用者に統一的に行わせることは困難であり、また、個人的な好みよる機能設定につても不慣れな使用者が携帯端末装置の複数の機能設定を行うことは困難な場合がある。
【０００８】
一方、特許文献１記載の端末制御システムは、携帯端末１０は端末制御サーバー３０より受信したモード特定情報に基づいて多種の機能それぞれの使用可否を設定可能である。
【０００９】
しかし、特許文献１記載の端末制御システムは、携帯端末のモード変更を行うためには、指示端末５０が端末制御サーバー３０に対して多種の機能のそれぞれの設定の指示（モード変更指示）を行う必要があり、また、モード変更指示の対象となる携帯端末１０にアクセスするため、電話番号によりネットワークを介して接続することが必要である。しかも、端末制御サーバー２０から携帯端末１０へのアクセスに電話通信ネットワークを介する必要があるのみならず、携帯端末１０からその現モード定義ファイルを取得し未来モード定義ファイルを作成するというモード定義ファイルのやり取りを行う複雑な処理を実行する必要がある。
【００１０】
（目的）
本発明の目的は、以上の問題を解決するものであり、機種の異なる携帯端末装置の複数の機能設定に関し、簡易なシステム構成で利便性の向上が可能な携帯端末装置の機能設定システム、携帯端末装置、情報端末機器、機能設定方法及びプログラムを提供することにある。
【課題を解決するための手段】
【００１１】
本発明の携帯端末装置の機能設定システムは、携帯端末装置の機能設定を情報端末機器から近距離通信機能により設定可能な携帯端末装置の機能設定システムであって、
前記情報端末機器は、複数の機能設定を個別に定義した組み合わせ情報であるモード実行ファイルからなる設定用定義ファイルを携帯端末装置の機種別に保存する保存手段と、前記近距離通信機能による前記携帯端末装置との通信確立により前記携帯端末装置の機種情報を受信する受信手段と、前記機種情報を受信した場合に当該機種情報に応じた設定用定義ファイルのモード実行ファイルを読み出して携帯端末装置に送信する送信手段と、を備え、前記携帯端末装置は、前記近距離通信機能による前記情報端末機器との通信確立により自機種情報を前記情報端末機器に送信する送信手段と、前記情報端末機器から当該機種情報に応じた前記モード実行ファイルを受信する受信手段と、受信したモード実行ファイルにより前記複数の機能設定を行う設定手段と、を備える。
【００１２】
本発明の携帯端末装置は、携帯端末装置の機種別に複数の機能設定を個別に定義した組み合わせ情報であるモード実行ファイルからなる設定用定義ファイルを備える情報端末機器から近距離通信機能によりモード実行ファイルを受信して機能設定を行う携帯端末装置であって、
前記近距離通信機能による前記情報端末機器との通信確立により自機種情報を前記情報端末機器に送信する送信手段と、前記情報端末機器から前記機種情報に応じた設定用定義ファイルの前記モード実行ファイルを受信する受信手段と、前記モード実行ファイルを受信した場合に、当該モード実行ファイルに基づき機能設定を行う設定手段と、を備える。
【００１３】
本発明の情報端末機器は、近距離通信機能により携帯端末装置の機能設定が可能な情報端末機器であって、
前記近距離通信機能による前記携帯端末装置との通信確立により前記携帯端末装置の機種情報を受信する受信手段と、受信した機種情報に基づいて、携帯端末装置の機種別に複数の機能設定を個別に定義した組み合わせ情報であるモード実行ファイルからなる設定用定義ファイルからモード実行ファイルを読み出して前記携帯端末装置に送信する送信手段と、を備える。
【００１４】
本発明の携帯端末装置の機能設定方法は、携帯端末装置の機能設定を情報端末機器から近距離通信機能により設定可能な携帯端末装置の機能設定方法であって、
前記情報端末機器は、携帯端末装置の機種別に複数の機能設定を個別に定義した組み合わせ情報であるモード実行ファイルからなる設定用定義ファイルを備え、前記近距離通信機能による前記携帯端末装置との通信確立により前記携帯端末装置の機種情報を受信した場合に当該機種情報に応じた設定用定義ファイルのモード実行ファイルを読み出して携帯端末装置に送信し、前記携帯端末装置は、前記近距離通信機能による前記情報端末機器との通信確立により自機種情報を前記情報端末機器に送信し、前記情報端末機器から当該機種情報に応じた前記モード実行ファイルを受信した場合に、当該モード実行ファイルによる機能設定を行うことを特徴とする。
【００１５】
本発明の携帯端末装置のプログラムは、携帯端末装置の機種別に複数の機能設定を個別に定義した組み合わせ情報であるモード実行ファイルからなる設定用定義ファイルを備える情報端末機器から近距離通信機能によりモード実行ファイルを受信して機能設定を行う携帯端末装置のプログラムであって、コンピュータに、
前記近距離通信機能による前記情報端末機器との通信確立により自機種情報を前記情報端末機器に送信する第１のステップと、前記情報端末機器から前記機種情報に応じた設定用定義ファイルの前記モード実行ファイルを受信した場合に、当該モード実行ファイルに基づく機能設定を行う第２のステップと、を実行させることを特徴とする。
【００１６】
本発明の情報端末機器のプログラムは、近距離通信機能により携帯端末装置の機能設定が可能な情報端末機器のプログラムであって、コンピュータに、
前記近距離通信機能による前記携帯端末装置との通信確立により前記携帯端末装置の機種情報を受信する第１のステップと、受信した機種情報に基づいて、携帯端末装置の機種別に複数の機能設定を個別に定義した組み合わせ情報であるモード実行ファイルからなる設定用定義ファイルからモード実行ファイルを読み出して前記携帯端末装置に送信する第２のステップと、を実行させることを特徴とする。
【発明の効果】
【００１７】
本発明によれば、機種の異なる携帯端末装置の各種機能設定を情報端末機器側から設定して制御することができるため、イベント会場や、業務（執務）環境における管理側である情報端末機器から携帯端末装置をリモート制御することが可能である。また、操作に不慣れなユーザでも携帯端末装置の複数の設定を情報端末機器から容易に設定することが可能である。
【００１８】
つまり、所定エリアでの各種サービスを行うためのモード設定に適用できるとともに、ユーザにとって煩雑で困難な個人的な多種の機能設定をも情報端末機器から簡単に実施することが可能であり、利用者の利便性を向上させることができる。
【００１９】
また、本発明によれば、例えば事前に情報端末機器に設定用定義ファイルを作成し又は通信確立後に設定用定義ファイルの個々の変更を行う構成とすることにより、携帯端末装置の機能の拡張設定を任意に実施することができる。
【００２０】
より具体的には、パーソナルコンピュータ等の情報端末機器で事前に設定した設定用定義ファイルのモード実行ファイルをブルートゥースで転送することで、携帯端末装置の機能設定を簡単に実行することが可能である。
【図面の簡単な説明】
【００２１】
【図１】図１は本発明の携帯端末装置の機能設定システムの第１の実施形態の構成を示す図である。
【図２】図２は本発明の携帯端末装置の機能設定方法の第１の実施形態のフローチャートを示す図である。
【図３】図３は本発明の情報端末機器及び携帯端末装置の第１の実施形態のハードウェア構成を示す図である。
【図４】図４は本発明の携帯端末装置の機能設定システムの第２の実施形態の構成を示す図である。
【図５】図５は携帯端末装置の機種別の設定用定義ファイルの構成例を示す図である。
【図６】図６は第２の実施形態の動作シーケンスを示す図である。
【図７】図７は第２の実施形態の携帯端末装置の処理フローチャートを示す図である。
【図８】図８は本発明の携帯端末装置の機能設定システムの第３の実施形態の動作シーケンスを示す図である。
【図９】図９は機能設定を時間的にプログラム可能なモード実行ファイルの構成例を示す図である。
【図１０】図１０は特許文献１に記載の端末制御システムを示す図である。
【発明を実施するための形態】
【００２２】
（第１の実施形態）
図１は本発明の携帯端末装置の機能設定システムの第１の実施形態の構成を示す図である。
【００２３】
互いに近距離通信機能を備える情報端末機器１と携帯端末装置２とで構成され、携帯端末装置２の複数の機能設定を情報端末機器１から前記近距離通信機能により設定可能な携帯端末装置２の機能設定システムである。
【００２４】
情報端末機器１は、携帯端末装置２の機種別に複数の機能設定を個別に定義した組み合わせ情報であるモード実行ファイルからなる設定用定義ファイルを保存する保存手段１ｃと、前記近距離通信機能による通信確立により前記携帯端末装置２の機種情報（例えば製造メーカ、製造年、型番等、各種の携帯端末装置の機能を特定可能な情報）を受信する受信手段１ａと、前記機種情報を受信した場合に保存手段１ｃから当該機種情報に応じた前記設定用定義ファイルのモード実行ファイルを読み出して携帯端末装置２に送信する送信手段１ｂと、を備える。
【００２５】
ここで保存手段１ｃには、予め設定用定義ファイルが保存され、又は情報端末機器１の使用者により機能設定ツールが起動され任意に規定した設定内容のモード実行ファイルが作成され保存される。
【００２６】
携帯端末装置２は、前記近距離通信機能による通信確立により自機種情報２ｃを前記情報端末機器１に送信する送信手段２ａと、前記情報端末機器１から当該機種情報に応じた前記モード実行ファイルを受信する受信手段２ｂと、受信したモード実行ファイルにより携帯端末装置の複数の機能（機能グループ）２ｅの機能設定を行う設定手段２ｄと、を備える。
【００２７】
携帯端末装置２と情報端末機器１とが接近すると近距離通信機能の機器登録が行われ通信が確立される。この通信確立により携帯端末装置２からその機種情報が情報端末機器１に送信され、情報端末機器１が前記機種情報を受信すると、設定用定義ファイルの所定のモード実行ファイルが携帯端末装置２に転送される。携帯端末装置２は情報端末機器１から転送されたモード実行ファイルを受信すると、設定制御アプリケーションが起動し、前記モード実行ファイルの解析を実施し、モード実行ファイルの機能設定の命令文を実行して機能グループ２ｅの複数の機能（１）〜（ｎ）の設定値（機能のｏｎ／ｏｆｆ等）が設定される。機能グループにはＵＩ（ユーザインターフェース）、ＴＥＬ（電話機能）、Ｍｕｌｔｉｍｅｄｉａ等を含めることができる。
【００２８】
以上の構成により近距離通信機能を用いて携帯端末装置２の複数の機能設定を情報端末機器１から制御することができる。
【００２９】
図２は本発明の携帯端末装置の機能設定方法の第１の実施形態のフローチャートを示す図である。携帯端末装置の機能設定を情報端末機器から近距離通信機能により設定可能な携帯端末装置の機能設定方法の処理手順を示す図である。
【００３０】
情報端末機器１は、図２（ａ）に示すように、携帯端末装置２の機種別に複数の機能設定を個別に定義した組み合わせ情報であるモード実行ファイルからなる設定用定義ファイルを備えており、前記近距離通信機能による前記携帯端末装置２との通信確立により（ステップｓ１１）、前記携帯端末装置１の機種情報を受信した場合（ステップｓ１２）、当該機種情報に応じた設定用定義ファイルのモード実行ファイルを読み出して携帯端末装置２に送信する（ステップｓ１３）。
【００３１】
前記携帯端末装置２は、図２（ｂ）に示すように、前記近距離通信機能による前記情報端末機器１との通信確立により（ステップｓ２１）、自機種情報を前記情報端末機器１に送信し（ステップｓ２２）、前記情報端末機器１から当該機種情報に応じた前記モード実行ファイルを受信した場合に、当該モード実行ファイルに基づく機能設定を行う（ステップｓ２３）。
【００３２】
図３は本発明の情報端末機器及び携帯端末装置の第１の実施形態のハードウェア構成を示す図である。本発明の機能設定システムを構成する情報端末機器１及び携帯端末装置２をそれぞれプログラム制御により実現するためのハードウェア構成を示している。
【００３３】
図３に示すように情報端末機器１と携帯端末装置２は、何れも少なくともデータ入力操作用の入力部１０ｄ（２０ｄ）、近距離通信機器を備える送受信部１０ｅ（２０ｅ）、各種のデータを表示する表示部１０ｃ（２０ｃ）、ＲＯＭ（Read Only Memory）、ＲＡＭ（Random Access Memory）等を含む記憶部１０ｄ（２０ｄ）及びＲＯＭ等に格納されたプログラムを読み込み、読み込んだプログラムにより制御され、各部を制御し、図１に示す各種の機能及び手段を実現するためのコンピュータを構成するＣＰＵ（Central Processing Unit）１０ａ（２０ａ）により構成される。
【００３４】
ここで携帯端末装置２のプログラムとしては、携帯端末装置２の機種別に複数の機能設定を個別に定義した組み合わせ情報であるモード実行ファイルからなる設定用定義ファイルを備える情報端末機器１から近距離通信機能によりモード実行ファイルを受信して機能設定を行う携帯端末装置２のプログラムであって、コンピュータに、前記近距離通信機能による前記情報端末機器１との通信確立により自機種情報を前記情報端末機器１に送信する第１のステップと、前記情報端末機器１から前記機種情報に応じた設定用定義ファイルの前記モード実行ファイルを受信した場合に、当該モード実行ファイルに基づく機能設定を行う第２のステップと、を実行させるプログラムとすることができる。
【００３５】
また、情報端末機器１のプログラムとしては、近距離通信機能により携帯端末装置２の機能設定が可能な情報端末機器１のプログラムであって、コンピュータに、前記近距離通信機能による前記携帯端末装置２との通信確立により前記携帯端末装置２の機種情報を受信する第１のステップと、受信した機種情報に基づいて、携帯端末装置２の機種別に複数の機能設定を個別に定義した組み合わせ情報であるモード実行ファイルからなる設定用定義ファイルからモード実行ファイルを読み出して前記携帯端末装置２に送信する第２のステップと、を実行させるプログラムとすることができる。
【００３６】
（第２の実施形態）
（構成の説明）
図４は本発明の携帯端末装置の機能設定システムの第２の実施形態の構成を示す図である。本実施形態の携帯端末装置の機能設定システムの基本構成は、ブルートゥース（Ｂｌｕｅｔｏｏｔｈ）機器等の近距離通信機能を備える情報端末機器１と１ないし複数の携帯端末装置２とから構成される。より詳細な構成は以下のとおりである。
【００３７】
情報端末機器１は携帯端末装置２の複数の機能をリモート設定するための機能設定ツール１１と近距離通信機器１２とを備える。また、機能設定ツール１１に関連して、複数の機能設定を個別に定義した組み合わせ情報である１ないし複数のモード実行ファイル１１２からなる設定用定義ファイル１１１が、１ないし複数の個々の携帯端末装置２に対応するかたちで格納されている。
【００３８】
設定用定義ファイル１１１の所定のモード実行ファイル１１２が初期設定として指定されることが可能であり、又は設定用定義ファイル１１１の任意のモード実行ファイル１１２が機能設定ツール１１に対する操作者の操作入力（変更手段）により指定されることが可能である。更に、設定用定義ファイル１１１の指定された任意のモード実行ファイル１１２の個別に定義した組み合わせ情報の複数の機能設定が機能設定ツール２１の操作者の操作入力により必要により変更可能である。
【００３９】
また、機能設定ツール１１は、近距離通信機器１２が携帯端末装置２の近距離通信機器２３と機器登録を行い通信が確立すると、携帯端末装置２側から近距離通信機器１２を介して当該携帯端末装置２の機種情報を受信し、当該機種情報に基づいて対応する設定用定義ファイル１１１の指定されたモード実行ファイル１１２を近距離通信機器１２を介して携帯端末装置２側に送信する機能を有する。
【００４０】
携帯端末装置２は当該携帯端末装置が備える機能の機能グループ２１と、設定制御アプリケーション２２と、近距離通信機器２３とを備える。ここで、機能グループ２１は、例えばユーザインターフェース（ＵＩ）機能、ネットワーク（ＮＷ）機能、電話（ＴＥＬ）機能、マルチメディア（Ｍｕｌｔｉｍｅｄｉａ）機能等を実現する機能部であり、この機能の種類及び個数は携帯端末装置の機種等により異なる。また、設定制御アプリケーション２２に関連して当該携帯端末装置２の機種情報２２２を有するとともに、当該携帯端末装置２の設定用定義ファイル２２１を格納することが可能である。
【００４１】
また、設定制御アプリケーション２２は、近距離通信機器２３が情報端末機器１の近距離通信機器１２と機器登録を行い通信が確立すると、当該携帯端末装置２の機種情報２２２を近距離通信機器２３を介して情報端末機器１側に送信し、情報端末機器１側から近距離通信機器２３を介してモード実行ファイル１１２を受信すると当該モード実行ファイル１１２に基づいて携帯端末装置２の複数の機能設定を実行し、当該モード実行ファイル１１２を設定用定義ファイル２２１に格納可能な機能を有する。
【００４２】
図５は携帯端末装置の機種別の設定用定義ファイルの構成例を示す図である。図５（ａ）は低機能の機種の携帯端末装置の設定用定義ファイル、図５（ｂ）は高機能の機種の携帯端末装置の設定用定義ファイルの例を示している。
【００４３】
同図の設定用定義ファイルは、携帯端末装置２の機種別に構成され、機種別に備える複数の機能（ＵＩ（１）、ＴＥＬ（１）…Ｍｕｌｔｉｍｅｄｉａ又はＵＩ（１）、ＵＩ（２）、ＴＥＬ（１）、ＴＥＬ（１）…Ｍｕｌｔｉｍｅｄｉａ）の範囲で、それぞれ個々の機能のｏｎ／ｏｆｆ等で定義された複数のモード実行ファイル（モードＡ〜Ｅ、モードａ〜ｃ）から構成される。
【００４４】
ここでＵＩはユーザインターフェース機能、ＴＥＬは着信音機能等、…を意味し、モードＡは例えばマナーモードの初期設定用のモード実行ファイル、モードＢは例えば他のマナーモード、モードＣは例えばユーザ等のオリジナルなマナーモード等とすることが可能である。
【００４５】
以上の構成により、本実施形態の携帯端末装置の機能設定システムは、情報端末機器１の通信可能エリアにおいて携帯端末装置２は当該携帯端末装置の機能グループの個々の複数の機能設定を個別に設定することが可能であり、情報端末機器１と携帯端末装置２の間で同一の設定用定義ファイル又はモード実行ファイルを共有することも可能である。
【００４６】
（動作の説明）
次に、本発明の第２の実施形態の携帯端末装置の機能設定システムの動作について、以下、詳細に説明する。
【００４７】
図６は第２の実施形態の動作シーケンスを示す図である。本実施形態の動作として、情報端末機器１には予め携帯端末装置２の機種別の設定用定義ファイルが格納されているものとし、情報端末機器１の使用者が前記設定用定義ファイルに基づいて、携帯端末装置２との機器登録前にテンプレート等を使用して任意に規定した設定内容のモード実行ファイルを作成する例により説明する。
【００４８】
（１）情報端末機器１の使用者は、最初にモード実行ファイルを作成する。例えばＸＭＬ文書（ＸＭＬ：Extensible Markup Language形式）等のＤＴＤに相当する文書構造の設定用定義ファイルに基づいてモード実行ファイルを作成する。つまり、
情報端末機器１の機能設定ツール１１を起動し、作成する携帯端末装置２の機種情報を入力し（ステップｓ１０１）、該機種に対応する設定用定義ファイル１１１を表示させ（ステップｓ１０２）、当該携帯端末装置２に対する機能設定として、設定用定義ファイル１１１のモード実行ファイル１１２の何れかを選択（指定）する（ステップｓ１０３）。
【００４９】
情報端末機器１は指定されたモード実行ファイル１１２を表示し、使用者の操作入力による該モード実行ファイル１１２の変更の有無を判断し（ステップｓ１０４）、使用者が機能設定を変更する操作を行った場合、個々の機能のｏｎ／ｏｆｆ等の選択変更を可能とし、使用者による機能設定の選択変更操作が行われると（ステップｓ１０５）、使用者の操作に応じて変更したモード実行ファイル１１２を実行用として指定されたモード実行ファイル１１２として設定用定義ファイル１１１に保存する（ステップｓ１０６）。
【００５０】
一方、ステップｓ１０４で、使用者が前記機能設定の変更を行わない場合は選択されたモード実行ファイル１１２が変更されること無く、実行用として指定されたモード実行ファイル１１２として設定用定義ファイル１１１に保存される（ステップｓ１０６）。
【００５１】
情報端末機器１は使用者による携帯端末装置２のモード実行ファイル１１２の指定ないし変更が終了したか否かを判断し（ステップｓ１０７）、終了していない場合は、例えば他の機種の携帯端末装置２に対する以上の処理（ステップｓ１０１〜ｓ１０６）を繰り返す。
【００５２】
（２）次に、（１）の処理の終了後、情報端末機器１の近接通信機能の通信可能エリア内に携帯端末装置２が進入し、又は同エリア内で携帯端末装置２の電源投入が行われる等により近接通信機能が動作すると、近距離通信機器１２、２３により携帯端末装置２と情報端末機器１との相互認証が行われ、近距離通信機器の機器登録が行われる。例えば、Ｂｌｕｅｔｏｏｔｈ機器の場合は、Ｂｌｕｅｔｏｏｔｈ２．１規格のセキュアシンプルペアリングによる機器登録などにより簡単登録が可能である。
【００５３】
（３）次に、機器登録完了後、近距離通信機器にて携帯端末装置２から情報端末機器１への接続を実施し、携帯端末装置２は自機種情報を近距離通信機器２３、１２を介して情報端末機器１に送信する。携帯端末装置２の機種情報を受信した情報端末機器１は、受信した機種情報に基づいて設定用定義ファイル１１１を参照し、指定されているモード実行ファイルを読み出し（ステップｓ１０８）、情報端末機器１から携帯端末装置２への接続を実施し、当該モード実行ファイルを近距離通信機器１２、２３にて携帯端末装置２に送信（転送）する。例えば、Ｂｌｕｅｔｏｏｔｈ機器の場合は、モード実行ファイルをオブジェクト プッシュ プロファイル (ＯＰＰ:Object Push Profile)（ｖＭｓｇ形式）等により携帯端末装置２にデータ転送する。
【００５４】
（４）携帯端末装置２は情報端末機器１から送信されたモード実行ファイルのデータを受信すると、設定制御アプリケーション２２を起動して、モード実行ファイルの読み込みを実施し（ステップｓ１０９）、当該モード実行ファイルのＸＭＬ文解析を行い、モード実行ファイルの内容に基づいて携帯端末装置２の各種機能（ＵＩ／ＴＥＬ／Ｍｕｌｔｉｍｅｄｉａ等）の設定値（ｏｎ／ｏｆｆ）を個々に設定する設定変更を実行する（ステップｓ１１０）。
【００５５】
（５）また、携帯端末装置２は情報端末機器１から送信されたモード実行ファイルのデータを携帯端末装置２内の設定用定義ファイル１１１等のデータ保存領域に格納するように構成することができる。
【００５６】
（６）更に、他の携帯端末装置２が情報端末機器１の近接通信機能の通信可能エリア内に進入した場合等の機器登録、携帯端末装置２から情報端末機器１への機種情報の送信、指定済みモード実行ファイルの読み出し、情報端末機器１から携帯端末装置２へのモード実行ファイルの送信、携帯端末装置２のファイル読み込み及びデータ解析、設定実行等の各動作は以上説明した（２）〜（５）の動作と同様である。
【００５７】
図７は第２の実施形態の携帯端末装置の処理フローチャートを示す図である。携帯端末装置２が近接通信機能により情報端末機器等からデータを受信した場合に、受信データの解析とその命令文等により実行処理を行う具体的な処理手順を表している。
【００５８】
携帯端末装置２は、近接通信機能により情報端末機器１と機器登録を行うと（ステップｓ２１１）、携帯端末装置２は自装置の機種情報を情報端末機器１に送信する（ステップｓ２１２）。その後、何らかのデータを受信すると（ステップｓ２１３）、受信データの解析処理を行い（ステップｓ２１４）、受信データがモード実行ファイルのデータ（モード実行データ）か否かを判断する（ステップｓ２１５）。
【００５９】
携帯端末装置２は、受信データがモード実行データの場合にモード実行データを読み込み（ステップｓ２１６）、機能設定のためのデータ解析を行い、機能設定を実行し（ステップｓ２１７）、当該データ又はモード実行データを保存する（ステップｓ２１８）。一方、ステップｓ２１４、ｓ２１５の受信データ解析、判断において、受信データがモード実行データ以外の通常データの場合は、通常データの処理に移行する（ステップｓ２１９）。
【００６０】
以上の動作により携帯端末装置２は情報端末機器１から送信されるモード実行データにより、簡単に機能設定を実行することが可能である。
【００６１】
第２の実施形態は、例えば、イベント会場等においてイベント管理者がイベント参加者全員の携帯端末装置に必要な機能はｏｎ、不必要な機能はｏｆｆとするような機能の設定変更を行う場合や、会社業務の環境で管理者が複数のメンバーの携帯端末装置に同様な設定変更を行う場合等に適用して好適であり、これにより携帯端末装置の機能設定を容易に実施することが可能である。
【００６２】
また、例えば、携帯端末装置を新規に購入した場合のように、使用者が携帯端末装置に関する操作に不慣れな場合にも適用可能であり、情報端末機器により適宜のモード実行ファイルを選択指定する等により、初期設定値等から使用者の好みに合わせた設定状態に容易に変更することが可能である。
【００６３】
（第３の実施形態）
以上説明したように第２の実施形態では、設定用定義ファイル１１１のモード実行ファイル１１２の指定と指定したモード実行ファイル１１２の個々の機能に関する設定変更について、携帯端末装置２と情報端末機器１の間の近距離通信による機器登録による通信確立前に行うように構成した例を示したが、本発明の第３の実施形態として、モード実行ファイル１１２の指定とその個々の機能に関する設定（変更）について、携帯端末装置２と情報端末機器１の間の近距離通信の通信確立後に行うように構成することができる。
【００６４】
図８は本発明の携帯端末装置の機能設定システムの第３の実施形態の動作シーケンスを示す図である。第３の実施形態の構成は図４に示す第２の実施形態の構成と同様であり、第３の実施形態の動作は図４を参照すると以下のとおりである。
【００６５】
第３の実施形態の動作として、情報端末機器１には予め機種別の設定用定義ファイルが格納されているものとし、近距離通信の機器登録後に情報端末機器１の使用者が前記設定用定義ファイルに基づいてテンプレート等を使用して任意に規定した設定内容のモード実行ファイルを作成する動作例を説明する。
【００６６】
（１）情報端末機器１には、例えばＸＭＬ文書等のモード実行ファイルからなる設定用定義ファイルが格納されており、携帯端末装置２が情報端末機器１の近接通信機能の通信可能エリア内に進入し、又は電源投入等により同エリア内で携帯端末装置２の近接通信機能が動作すると、近距離通信機器１２、２３により携帯端末装置２と情報端末機器１で相互認証が行われ、近距離通信のＢｌｕｅｔｏｏｔｈ２．１規格のセキュアシンプルペアリング等により機器登録が行われる。
【００６７】
（２）機器登録後、携帯端末装置２は近距離通信機器にて情報端末機器１への接続を実施し、携帯端末装置２は機種情報を近距離通信機器２３、１２を介して情報端末機器１に送信する。
【００６８】
（３）機種情報を受信した情報端末機器１は、受信した機種情報に基づいて設定用定義ファイル１１１を読み出して表示し（ステップｓ２０１）、当該設定用定義ファイル１１１で指定されているモード実行ファイルを選択する（ステップｓ２０２）。情報端末機器１は読み出したモード実行ファイルを表示部等に表示し、使用者の機能設定の変更の有無を判断する（ステップｓ２０３）。
【００６９】
使用者が機能設定を変更する旨の操作を行った場合、個々の機能のｏｎ／ｏｆｆ等の選択変更を可能とし、使用者による機能設定の選択変更操作が行われると（ステップｓ２０４）、情報端末機器１は使用者の操作に応じて変更したモード実行ファイル１１２を実行用として指定されたモード実行ファイル１１２として設定用定義ファイル１１１に保存する（ステップｓ２０５）。
【００７０】
一方、ステップｓ２０３で、前記機能設定の変更が行われないことを判断すると、モード実行ファイル１１２を変更すること無く、実行用として指定されたモード実行ファイル１１２として設定用定義ファイル１１１に保存する（ステップｓ２０５）。
【００７１】
（４）次に、情報端末機器１から携帯端末装置２への接続を実施し、当該モード実行ファイルを近距離通信機器にて携帯端末装置２に送信（転送）する。例えば、Ｂｌｕｅｔｏｏｔｈ機器の場合は、モード実行ファイルをオブジェクト プッシュ プロファイル (ＯＰＰ:Object Push Profile)（ｖＭｓｇ形式）等により携帯端末装置２にデータ転送する。
【００７２】
（５）携帯端末装置２は情報端末機器１から送信されたモード実行ファイルのデータを受信すると、設定制御アプリケーション２２を起動して、モード実行ファイルの読み込みを実施し（ステップｓ２０６）、当該モード実行ファイルのＸＭＬ文解析を行い、モード実行ファイルの内容に基づいて携帯端末装置２の各種機能（ＵＩ／ＴＥＬ／Ｍｕｌｔｉｍｅｄｉａ等）の設定値（ｏｎ／ｏｆｆ）を個々に設定する設定変更を実行する（ステップｓ２０７）。
【００７３】
（６）また、携帯端末装置２は情報端末機器１から送信されたモード実行ファイルのデータを携帯端末装置２内の設定用定義ファイル１１１等のデータ保存領域に格納するように構成することができる。
【００７４】
（７）更に、他の携帯端末装置２が情報端末機器１の近接通信機能の通信可能エリア内に進入した場合等の機器登録、携帯端末装置２から情報端末機器１への機種情報の送信、指定済みモード実行ファイルの読み出し、機能設定の変更、情報端末機器１から携帯端末装置２へのモード実行ファイルの送信、携帯端末装置２のファイル読み込み及びデータ解析、設定実行等の動作は以上説明した（１）〜（７）の動作と同様である。
【００７５】
以上説明した第３の実施形態は、携帯端末装置を新規に購入した場合等に、操作に不慣れな購入者自身等が情報端末機器１の簡易なＵＩを利用して、該携帯端末装置の設定を行う場合等への適用に好適である。例えば、携帯端末装置２と情報端末機器１との間の近距離通信の通信確立後に、情報端末機器１により任意のモード実行ファイルを選択指定して初期設定値等から使用者の好みに合わせた設定状態に変更するように構成することが可能である。
【００７６】
また、情報端末機器１の大型の表示部に表示されたモード実行ファイルの個々の機能のｏｎ／ｏｆｆ等を適宜選択し、携帯端末装置２は当該モード実行ファイルの転送を受けることにより、携帯端末装置２を好みに合わせた設定状態に容易に変更することが可能である。
【００７７】
また例えば、イベント会場等においてイベント管理者がイベント参加者全員の携帯端末装置に必要な機能はｏｎ、不必要な機能はｏｆｆとするような設定変更を行う場合や、会社業務の環境で管理者が複数のメンバーの携帯端末装置に同様に設定変更を行う場合等にも適用可能である。
【００７８】
（他の実施の形態）
以上の実施形態においては、携帯端末装置２にモード実行ファイルの転送と同時に、複数の機能の内、何れかの機能設定を実施するような構成例を説明したが、転送するモード実行ファイルに、どのタイミング（時間指定など）で機能設定を実行するかという内容を盛り込むことにより、それぞれの機能設定を時間的にプログラム可能に構成することができる。
【００７９】
図９は機能設定を時間的にプログラム可能なモード実行ファイルの構成例を示す図である。図９（ａ）に示すように、モード毎のモード実行ファイルの個々のｏｆｆ（又はｏｎ）設定機能に関連して、その設定の開始時刻や開始から終了までの時間設定の情報を付加することにより、時間的な機能設定のプログラムを可能とする。
【００８０】
また、図９（ｂ）に示すようにモード単位で設定の開始時刻や開始から終了までの時間設定の情報を付加したり、個々の設定機能（ｏｆｆ／ｏｎ設定）にも設定の開始時刻や開始から終了までの時間設定の情報を付加することにより、時間的な機能設定のプログラムを可能に構成する。
【００８１】
本実施形態によれば、時間、場所等の状況に合わせて使用者の意思に沿った機能設定等を簡単設定することが可能であるから、どのような設定をどのタイミングで実行するかを使用者の意思に沿って設定する事が可能な拡張設定機能を持たせた携帯端末装置の機能設定が可能である。
【００８２】
また以上の実施形態では、情報端末機器１に転送用に指定されたモード実行ファイル１１２を含む設定用定義ファイル１１１が事前に格納されている例を説明したが、設定用定義ファイルは予め保存されていなくてもよく、情報端末機器の操作者が新規作成により作成することが可能である。例えば、図６に示すステップｓ１０１〜ｓ１０７の処理動作に代えて新たにモード実行ファイルを含む設定用定義ファイルを作成するように構成することが可能である。
【００８３】
また、設定用定義ファイルにおけるモード実行ファイルは、複数に限られるものではなく、単一のモード実行ファイルとして設定することが可能である。
【００８４】
また、モード実行ファイルの個々の機能の変更は機器登録前等の通信確立前及び機種情報の受信後の何れ（第２及び第３の実施形態の組み合わせ）でも実施可能に構成することができる。
【産業上の利用可能性】
【００８５】
本発明は機種の異なる携帯端末装置の各種機能設定を情報端末機器から設定制御することを可能としユーザの利便性を向上させるものであるから、携帯電話機や携帯情報端末等の携帯端末装置及び情報端末装置やパーソナルコンピュータ（ＰＣ）、ノートＰＣ等の情報端末機器に適用可能である。
【符号の説明】
【００８６】
１  情報端末機器
１１  機能設定ツール
１２、２３  近距離通信機器（Ｂｌｕｅｔｏｏｔｈ）
１１１、２２１  設定用定義ファイル
１１２  モード実行ファイル
１ａ、２ｂ  受信手段
１ｂ、２ａ  送信手段
１ｃ  保存手段
２  携帯端末装置
２１  機能グループ
２２  設定制御アプリケーション
２２２  機種情報
２ｄ  設定手段
２ｅ  機能グループ
【図１】
2011004347.tif 000003
【図２】
2011004347.tif 000004
【図３】
2011004347.tif 000005
【図４】
2011004347.tif 000006
【図５】
2011004347.tif 000007
【図６】
2011004347.tif 000008
【図７】
2011004347.tif 000009
【図８】
2011004347.tif 000010
【図９】
2011004347.tif 000011
【図１０】
2011004347.tif 000012